(57)【要約】【課題】浴槽用給湯口アダプタとして、給湯機から供給される高温水が浴槽温水と速やかに混合し、特に追い焚きの際に降温した状態で浴槽内に吐出できるものを提供する。【解決手段】浴槽側壁Ｔａに貫通状態に取り付けられて、浴槽Ｔ外に設置された追い焚き機能を備える給湯機に配管接続される浴槽用給湯口アダプタであって、浴槽Ｔ内の温水の吸込口５１ａ，５１ｂと、給湯機から供給される温水の吐出口５３とを備え、吐出口５３の上流側に、給湯機から供給される温水が流入する吐出室５２ａ，５２ｂを有し、浴槽内の温水を槽内側で直接に吐出室５２ａ，５２ｂ内へ導く混合用流路６Ａが設けられ、給湯機からの温水が吐出室５２ａ，５２ｂを通って浴槽Ｔ内へ向かう吐出流に伴う誘引力により、浴槽内の温水が混合用流路６Ａから吐出室５２ａ，５２ｂ内へ導出され、給湯機からの温水と混合して浴槽内に放出される。【選択図】図８
2007139207.tif 000002
【特許請求の範囲】
【請求項１】
浴槽側壁に貫通状態に取り付けられて、浴槽外に設置された追い焚き機能を備える給湯機に配管接続される浴槽用給湯口アダプタであって、
浴槽内の温水の吸込口と、前記給湯機から供給される温水の吐出口とを備え、この吐出口の上流側に、給湯機から供給される温水が流入する吐出室を有すると共に、浴槽内の温水を槽内側で直接に該吐出室内へ導く混合用流路が設けられ、
給湯機からの温水が吐出室を通って浴槽内へ向かう吐出流に伴う誘引力により、浴槽内の温水が前記混合用流路から吐出室内へ導出され、この温水が給湯機からの温水と混合して浴槽内に放出されるように構成されてなる浴槽用給湯口アダプタ。
【請求項２】
浴槽内側に配置する流路形成ユニットに前記吐出室及び混合用流路が設けられ、該吐出室の上部側に給湯機から供給される温水の流入口が開口すると共に、前記流路形成ユニットの下部側周縁に沿って前記吐出口がスリット状に開口してなる請求項１記載の浴槽用給湯口アダプタ。
【請求項３】
前記混合用流路が流路形成ユニットの上部側周縁に沿って形成され、この混合用流路の下端側が導出口として前記吐出室に開放すると共に、この導出口よりも上位側に該混合用流路の導入口を有してなる請求項２記載の浴槽用給湯口アダプタ。
【請求項４】
前記混合用流路の導入口が当該混合用流路から直接に流路形成ユニットの外側へ開口してなる請求項２又は３に記載の浴槽用給湯口アダプタ。
【請求項５】
前記流路形成ユニットの前部側が、上部を左右一対の吸込室、下部を左右一対の前記吐出室に区画して、且つ前記混合用流路を付設した区画部をなすと共に、その後部側が該区画部の各室に対して流れ方向を規制する弁部を介して連通する流路分岐部をなし、
前記流路分岐部によって給湯機に繋がる循環流路の往き管と戻り管に各々接続する２流路が構成され、その各流路が左右片側の吸込室及び吐出室に接続され、
前記両吸込室の前面に外部へ透通する複数の吸込孔を有すると共に、両吸込室と前記混合用流路とを連通する通湯口が設けられてなる請求項２又は３に記載の浴槽用給湯口アダプタ。
【請求項６】
前記流路形成ユニットの前部側が、上部を左右一対の吸込室、下部を左右一対の前記吐出室に区画して、且つ前記混合用流路を付設した区画部をなすと共に、その後部側が該区画部の各室に対して流れ方向を規制する弁部を介して連通する流路分岐部をなし、
前記流路分岐部によって給湯機に繋がる循環流路の往き管と戻り管に各々接続する２流路が構成され、その各流路が左右片側の吸込室及び吐出室に接続され、
左右の吐出室を前記流入口と吐出口との間で連通する連通口を有してなる請求項２又は３に記載の浴槽用給湯口アダプタ。
【請求項７】
前記吐出室における前記流入口と吐出口との間に、吐出流を分流させる少なくとも一つのセパレータ部を有してなる請求項２〜６のいずれかに記載の浴槽用給湯口アダプタ。
【請求項８】
前記混合用流路が、吐出室における前記流入口と吐出口との間に臨んで流路形成ユニットの前板部を貫通する透孔にて構成されてなる請求項２記載の浴槽用給湯口アダプタ。
【発明の詳細な説明】
【技術分野】
【０００１】
この発明は、浴槽壁部に貫通状態に取り付けられ、浴槽外の給湯機に配管接続させる浴槽用給湯口アダプタに関する。
【背景技術】
【０００２】
近年、浴槽の給湯システムとして、浴槽外に設置した給湯機で沸かした温水を浴槽内に送る湯はり機能と、浴槽内の温水を吸い込んで給湯機へ送り、該給湯機で加熱して高温水として浴槽内へ戻す追い焚き機能とを備えるものが普及しつつある。そして、このような給湯システムでは、浴槽壁部に貫通状態に取り付けた給湯口アダプタに、給湯機との間の循環流路の配管を接続している（特許文献１，２）。
【特許文献１】特開平１１−２０１５５８号公報
【特許文献２】特開平１１−３３７１８６号公報
【０００３】
ところで、このような給湯システムにあっては、給湯機から供給される温水が高温であるため、特に浴槽に人が入った状況で行われることの多い追い焚きの際には、浴槽内に吐出される高温水ができるだけ速やかに浴槽内の温水と混合し、入浴者の身体に近付く前に降温した状態になることが望ましい。
【０００４】
そこで、上記の給湯口アダプタとして、槽内側において、吸込口を前面に配し、多孔状のフィルタを介して浴槽内の温水を吸入して給湯機へ送る一方、給湯機から供給される高温水が入浴者に直接に触れにくいように、吐出口を略下向きのスリット状として、吐出流が浴槽壁面に沿って下向きに扇状に拡がるようにしたものが一般的になっている。
【０００５】
しかるに、従来のこの種給湯口アダプタでは、吐出口からの吐出流と浴槽温水との混合が進みにくいため、浴槽内に一時的に局所的な高温部を生じたり、温度の高い流れが入浴者の位置まで達したりすることが往々にしてあった。
【発明の開示】
【発明が解決しようとする課題】
【０００６】
この発明は、上述の事情に鑑みてなされたものであり、浴槽用給湯口アダプタとして、給湯機から供給される高温水が浴槽温水と速やかに混合し、特に追い焚きの際には該混合によって降温した状態で浴槽内に吐出でき、浴槽内に局所的な高温部を生じたり、温度の高い流れが入浴者の付近に到達したりするのを防止できるものを提供することを課題とする。
【課題を解決するための手段】
【０００７】
上記課題は、以下の手段によって解決される。
【０００８】
〔１〕浴槽側壁に貫通状態に取り付けられて、浴槽外に設置された追い焚き機能を備える給湯機に配管接続される浴槽用給湯口アダプタであって、
浴槽内の温水の吸込口と、前記給湯機から供給される温水の吐出口とを備え、この吐出口の上流側に、給湯機から供給される温水が流入する吐出室を有すると共に、浴槽内の温水を槽内側で直接に該吐出室内へ導く混合用流路が設けられ、
給湯機からの温水が吐出室を通って浴槽内へ向かう吐出流に伴う誘引力により、浴槽内の温水が前記混合用流路から吐出室内へ導出され、この温水が給湯機からの温水と混合して浴槽内に放出されるように構成されてなる浴槽用給湯口アダプタ。
【０００９】
〔２〕浴槽内側に配置する流路形成ユニットに前記吐出室及び混合用流路が設けられ、該吐出室の上部側に給湯機から供給される温水の流入口が開口すると共に、前記流路形成ユニットの下部側周縁に沿って前記吐出口がスリット状に開口してなる請求項１記載の浴槽用給湯口アダプタ。
【００１０】
〔３〕前記混合用流路が流路形成ユニットの上部側周縁に沿って形成され、この混合用流路の下端側が導出口として前記吐出室に開放すると共に、この導出口よりも上位側に該混合用流路の導入口を有してなる請求項２記載の浴槽用給湯口アダプタ。
【００１１】
〔４〕前記混合用流路の導入口が当該混合用流路から直接に流路形成ユニットの外側へ開口してなる請求項２又は３に記載の浴槽用給湯口アダプタ。
【００１２】
〔５〕前記流路形成ユニットの前部側が、上部を左右一対の吸込室、下部を左右一対の前記吐出室に区画して、且つ前記混合用流路を付設した区画部をなすと共に、その後部側が該区画部の各室に対して流れ方向を規制する弁部を介して連通する流路分岐部をなし、  前記流路分岐部によって給湯機に繋がる循環流路の往き管と戻り管に各々接続する２流路が構成され、その各流路が左右片側の吸込室及び吐出室に接続され、
前記両吸込室の前面に外部へ透通する複数の吸込孔を有すると共に、両吸込室と前記混合用流路とを連通する通湯口が設けられてなる請求項２又は３に記載の浴槽用給湯口アダプタ。
【００１３】
〔６〕前記流路形成ユニットの前部側が、上部を左右一対の吸込室、下部を左右一対の前記吐出室に区画して、且つ前記混合用流路を付設した区画部をなすと共に、その後部側が該区画部の各室に対して流れ方向を規制する弁部を介して連通する流路分岐部をなし、  前記流路分岐部によって給湯機に繋がる循環流路の往き管と戻り管に各々接続する２流路が構成され、その各流路が左右片側の吸込室及び吐出室に接続され、
左右の吐出室を前記流入口と吐出口との間で連通する連通口を有してなる請求項２又は３に記載の浴槽用給湯口アダプタ。
【００１４】
〔７〕前記吐出室における前記流入口と吐出口との間に、吐出流を分流させる少なくとも一つのセパレータ部を有してなる請求項２〜５のいずれかに記載の浴槽用給湯口アダプタ。
【００１５】
〔８〕前記混合用流路が、吐出室における前記流入口と吐出口との間に臨んで流路形成ユニットの前板部を貫通する透孔にて構成されてなる請求項２記載の浴槽用給湯口アダプタ。
【発明の効果】
【００１６】
前項〔１〕に記載の発明に係る浴槽用給湯口アダプタによれば、給湯機からの温水が吐出室を通って浴槽内へ向かう吐出流に伴う誘引力により、浴槽内の温水が混合用流路から吐出室内へ導出され、この温水が給湯機からの温水と混合するから、特に追い焚きの際には該混合によって降温した状態で浴槽内に放出される上、吐出流量が増大することにより、浴槽内での攪拌作用も大きくなるから、浴槽内に局所的な高温部を生じたり、比較的温度の高い流れが入浴者の位置まで達したりするのを防止できる。
【００１７】
前項〔２〕に記載の発明によれば、前記吐出室及び混合用流路と、給湯機からの温水の流入口及び吐出口とが浴槽内側に配置する流路形成ユニットに設けられるから、給湯口アダプタ全体としての構成が簡素になると共に、浴槽側壁への組み付けが容易になり、且つ前記の混合温水が流路形成ユニットの下部側周縁に沿うスリット状の吐出口より下向きに吐出されるから、特に追い焚きの際に温度の高い流れが入浴者の付近に到達するのを確実に防止できる。
【００１８】
前項〔３〕に記載の発明によれば、流路形成ユニットとして前記の混合用流路を含む流路構成が機能的にまとまった形になり、それだけ流路形成ユニットが構造的に簡素化し、アダプタ全体をコンパクト化できると共に、浴槽内での嵩張りを低減できる。
【００１９】
前項〔４〕に記載の発明によれば、流路形成ユニットの上部側周縁に沿う混合用流路に浴槽温水が直接に流入する形になるから、それだけ圧損が少なくなって流入量が増す。
【００２０】
前項〔５〕に記載の発明によれば、所謂無極タイプとして、給湯機に繋がる往き管と戻り管に対する接続が逆になっても同じ機能が得られる給湯口アダプタにおいて、追い焚き時に休止する流路側の吸込室の吸込口から浴槽温水を取り込んで混合用流路に流入できるから、浴槽温水の流入を多くして降温効果及び混合効果を高めことができる。
【００２１】
前項〔６〕に記載の発明によれば、上記の無極タイプの給湯口アダプタにおいて、混合用流路からの浴槽温水の導出だけでなく、追い焚き時に休止側の吐出室に入り込んだ浴槽温水を連通口から稼働側の吐出室へ導出できるから、浴槽温水の流入がより多くなって降温効果及び混合効果を更に高めことができる。
【００２２】
前項〔７〕に記載の発明によれば、セパレータ部での分流によって吐出流の流速が速まるため、誘引作用が増大し、混合用流路からの浴槽温水の流入が増え、それだけ降温効果及び混合効果が大きくなる。
【００２３】
前項〔８〕に記載の発明によれば、流路形成ユニットの前板部に貫通孔を設けるだけで前記混合用流路を形成できるから、構成的に極めて簡素になる。
【発明を実施するための最良の形態】
【００２４】
以下、この発明に係る浴槽用給湯口アダプタの実施形態について、図面を参照して具体的に説明する。図１〜図８は第一実施形態、図９〜図１１は第二〜〜第四実施形態、図１２〜図１６は第五〜第八実施形態、をそれぞれ示す。
【００２５】
なお、これら実施形態の給湯口アダプタは、浴槽外に設置した給湯機（図示省略）からの温水を浴槽内に供給する湯はり（貯湯）機能と、浴槽内の温水を給湯機に吸い込んで加熱した高温水を浴槽内に戻す追い焚き機能とを備えた浴槽給湯システムに適用するものであり、所謂無極タイプとして、給湯機に繋がる往き管と戻り管（図示省略）に対する接続が逆になっても同じ機能が得られるようになっている。
【００２６】
第一実施形態の給湯口アダプタは、図１の縦断側面図ならびに図２の分解斜視図で示すように、流路形成ユニット１０、槽外取付部材７１、槽内取付部材７２、フィルタ部材７３の４つの主要部品と、槽外側のリング状被覆パッキング８１、Ｏリング８２、槽内側のリング状パッキング８３、リング状滑りシート８４、ロックねじ８５の付属部品とで構成されている。なお、図中のＨは浴槽Ｔの側壁Ｔａに設けた貫通穴を示している。
【００２７】
流路形成ユニット１０は、既述の無極タイプとしての流路を形成するものであり、図３に示すように、円盤部１ａの中央部後面側に流路分岐部１ｂ及び流路筒部１ｃを一体形成した硬質合成樹脂成形物からなるユニット本体１と、その円盤部１ａの前面側に嵌着される硬質合成樹脂成形物からなる円形の前板２と、同円盤部１ａの中央にある弁部３に嵌着する弁座枠３１と、流路分岐部１ｂに配置される縦長のゴム板からなる第一及び第二の弁体３２Ａ，３２Ｂとを備えている。
【００２８】
そして、ユニット本体１の円盤部１ａの周縁上半部には前方へ突出した突縁部１１が形成され、この突縁部１１の前縁側に内嵌係止される前板２と当該円盤部１ａとの間で区画室１０ａを構成している。また、この区画室１０ａの外周には、左右両側上部の２ヵ所にＬ字形の係止溝１１ａが形成されている。
【００２９】
図３〜図５に示すように、ユニット本体１の円盤部１ａの中央部には、弁部３を構成する開口部１２が形成され、この開口部１２が縦隔壁１３と左右の横桟１４，１４によって上下左右の流路穴１５ａ〜１５ｄに４分割されている。そして、左側上下の流路孔１５ａ，１５ｂは流路分岐部１ｂで後方外側へ開放する一方、右側上下の流路孔１５ｃ，１５ｄは流路分岐部１ｂの縦隔壁１３を直線部とする半円形の連絡室１０ｂを経て後部の円筒状の流路筒部１ｃ内に連通している。また、下側左右の流路孔１５ｂ，１５ｄには、各々開口縁の左右部及び下辺部と中間の長尺縦リブにより、前面側に臨む第一及び第二吐出弁座３３ａ，３３ｂが形成されている。
【００３０】
弁座枠３１は、ユニット本体１の開口部１２の上部側に前方から嵌着することにより、後方側に臨む第一及び第二吸込弁座３４ａ，３４ｂを構成するものであり、略半円形の外形をなす硬質合成樹脂成形物からなり、上側左右の流路孔１５ａ，１５ｃの各々に対応する左右各一対の流路窓３１ａ…を有すると共に、頂部と左右両端部とに突起状の当接片３１ｂが形成され、また下縁の中央部２ヵ所と左右両側部の計４ヵ所に取付孔３１ｃ…を備えている。
【００３１】
第一及び第二の弁体３２Ａ，３２Ｂは、ユニット本体１の開口部１２を左右に分割した各形状に対応しており、上半部が第一及び第二吸込弁３５ａ，３５ｂとして各々上側左右の流路孔１５ａ，１５ｃに嵌入し得るサイズを有すると共に、下半部が第一及び第二吐出弁３６ａ，３６ｂとして下側左右の流路孔１５ｂ，１５ｄの第一及び第二吐出弁座３３ａ，３３ｂに嵌合するサイズに設定されている。しかして、両弁体３２Ａ，３２Ｂの上下方向中間部には、左右両側の取付孔３２ａ，３２ａと、その間の横方向のリブ３２ｂとが設けてある。
【００３２】
しかして、ユニット本体１側には、図３で示すように、左右の横桟１４，１４のそれぞれ両端部に前方へ突出する支持ピン１４ａ…が設けてあり、これら支持ピン１６…を、第一及び第二の弁体３２Ａ，３２Ｂの取付孔３２ａ…に圧入して、更に弁座枠３１の取付孔３１ｃ…に嵌入することにより、両弁体３２Ａ，３２Ｂ及び弁座枠３１をユニット本体１の円盤部１ａの前面に止着するようになっている。なお、両弁体３２Ａ，３２Ｂはリブ３２ｂを横桟１４の凹段部１４ｂに嵌合して位置決めされる。
【００３３】
また、ユニット本体１の円盤部１ａの前面側には、下部の左右両側に直線部を内側にした弓形の凸部からなるセパレータ部４Ａ，４Ａ、上側の突縁部１１の左右内縁に係止ピン１１ｂ，１１ｂ、下側左右の流路孔１５ｂ，１５ｄの外側縁部に突片状の前板受け１６ｂ，１６ｂ、がそれぞれ突設されている。
【００３４】
更に、ユニット本体１には、円盤部１ａの上部に前後に透通するボス部挿通孔１７を有すると共に、突縁部１１の頂端近傍に前方へ開く切欠部１８が形成されている。また、該円盤部１ａの後面側には、全周にわたる後方突縁部１１ｃを有し、その内周側の３ヵ所に係止突起１９が周方向に等配して形成されている。
【００３５】
前板２は、図３に示すように、ユニット本体１の円盤部１ａに対応した円形をなし、その上半部には、ユニット本体１の上側左右の流路孔１５ａ，１５ｃに対向する領域に多数の小径の吸込孔２０…が、中央上部にユニット本体１のねじ挿通孔１７に対応するねじ孔２ａが、両側縁部にユニット本体１の各係止ピン１１ｂに対応する係止孔２ｂ，２ｂが、それぞれ前後に透通して形成され、更に周縁の２ヵ所にユニット本体１の各係止溝１１ａの入口部となる切欠２ｃが設けてある。
【００３６】
また、図７に示すように、前板２の後面側には、ねじ孔２ａの位置から左右両側へ円弧状に延びる円弧隔壁リブ２１，２１、該ねじ孔２ａの位置から真下に直線的に延びる縦隔壁リブ２２、この縦隔壁リブ２２の中間部と左右両側の円弧隔壁リブ２１，２１の間を繋ぐ横隔壁リブ２３，２３、各横隔壁リブ２３から外向き斜め下方へ分岐した吐出ガイドリブ２４，２４、左右両側の円弧隔壁リブ２１，２１における横隔壁リブ２３との接合部より下方部分の外側に対向する弧状の導出ガイドリブ２５，２５、ねじ孔２ａの周囲のボス部２６、がそれぞれ突設されている。また、この後面側の下部には、ユニット本体１側のセパレータ部４Ａ，４Ａに対応する弓形の浅い凹部２７，２７が形成され、更にユニット本体１側の第一及び第二吐出弁座３３ａ，３３ｂの下縁部との対向位置に直線状のＶ字溝２９，２９が設けられている
しかして、流路形成ユニット１０は、第一及び第二の弁体３２Ａ，３２Ｂと弁座枠３１を装着したユニット本体１の円盤部１ａに対し、前板２の係止孔２ｂ，２ｂにユニット本体１側の係止ピン１１ｂ，１１ｂを挿嵌させると共に、ボス部２６をユニット本体１側のボス部挿通孔に挿嵌して、当該前板２を内嵌係止することにより、該円盤部１ａと前板２との間で既述の区画室１０ａを構成したものである。
【００３７】
この区画室１０ａでは、図８に示すように、ユニット本体１側の突縁部１１と、前板２側のリブ２１〜２５とが隔壁を構成し、またユニット本体１側のセパレータ部４Ａ，４Ａと、前板受け１６ｂも前板２の後面側に密接して壁体となっている。
【００３８】
これにより、区画室１０ａ内の上部側には、隔壁リブ２１〜２３に囲まれて隔絶した左右の第一及び第二吸込室５１ａ，５１ｂが形成されると共に、上部側周縁に沿って突縁部１１と円弧隔壁リブ２１，２１との間に混合用流路６Ａが構成されている。また、該区画室１０ａ内の下部側は、縦隔壁リブ２２の下方を仮想的な境界として、左右の第一及び第二吐出室５２ａ，５２ｂに区画されている。
【００３９】
そして、第一吸込室５１ａには第一吸込弁３５ａが、第二吸込室５１ｂには第二吸込弁３５ｂが、第一吐出室５２ａには第一吐出弁３６ａが、第二吐出室５２ｂには第二吐出弁３６ｂが、それぞれ臨んでいる。
【００４０】
また、区画室１０ａの突縁部１１がない下縁側は、スリット状に外部へ開放した吐出口５３を構成している。更に、第一及び第二吐出室５２ａ，５２ｂでは、それぞれ吐出弁３６ａ，３６ｂの流出口５４と吐出口５３との間が、セパレータ部４Ａによって左右に別れている。両吐出室５２ａ，５２ｂは、縦隔壁リブ２２の下端２２ａの下方に構成される連通口５５によって連通している。
【００４１】
混合用流路６Ａは、ユニット本体１の突縁部１１に設けていた切欠１８が頂部で導入口６０として外部に開口する一方、左右両側において、吐出ガイドリブ２４の下端と導出ガイドリブ２５との間が導出口６１として第一及び第二吐出室５２ａ，５２ｂの側方に臨んでいる。
【００４２】
槽外取付部材７１は、図１及び図２に示すように、黄銅やステンレス鋼等の金属製であり、略円筒状をなす外筒部７１ａの開放した前端にフランジ部７１ｂを備えると共に、外筒部７１ａの閉塞した後端部に一対の外管接続部７０ａ，７０ｂがロウ付けされ、該外筒部７１ａの内側には前方へ開放した円筒状の内筒部７１ｃが同軸状に一体形成されている。そして、外筒部７１ａと内筒部７１ｃの間の環状空間７ａが外管接続部７０ａに、内筒部７１ｃの内側空間７ｂが外管接続部７０ｂに、それぞれ連通している。また、外筒部７１ａの前部内周には雌ねじ７４ａが刻設され、この外筒部７１ａの前端よりも内奥に位置した内筒部７１ｃの前端の内周側にＯリング８２が嵌装されている。
【００４３】
しかして、槽外取付部材７１のフランジ部７１ｂには、リング状被覆パッキング８１が嵌着される。このパッキング８１は、断面略Ｕ字状の合成ゴム等からなる断面略Ｕ字状の成形物であり、その内周の環状嵌合溝８１ｂにフランジ部７１ｂを嵌め込むことにより、該フランジ部７１ｂの略外周面全域を包み込む状態に密着固定される。なお、このリング状被覆パッキング８１の前面側を構成する厚肉本体部８１ｂの表裏面には、複数の同心円状の密着用凹凸部８１ｃ…が形成されている。
【００４４】
槽内取付部材７２は、図１及び図２に示すように、ポリアセタート樹脂等の硬質樹脂成形物からなり、両端が開放した筒状部７２ａの前端にフランジ部７２ｂが一体形成されており、筒状部７２ａの外周には槽外取付部材７１の雌ねじ７４ａに対応する雄ねじ７４ｂが設けてある。そして、フランジ部７２ｂの後面側には、内周側から外周側へ段下する環状段部７５ａと、その外周側の環状溝７５ｂが形成されている。また、フランジ部７２ｂの前面側には多数の有底のロック穴７６…が周方向一定間隔置きに形成され、更に外周部には複数のＬ字形の係止溝７７が周方向一定間隔置きに形成されている。
【００４５】
しかして、槽内取付部材７２は、その使用に際し、筒状部７２ａにリング状滑りシート８４及びリング状パッキン８３を外嵌し、これらをフランジ部７２ｂに近接する位置に保持させておく。
【００４６】
リング状パッキング８３は、断面が内向きに尖った略スペード形をなす厚肉リング部８３ａと、この厚肉リング部８３ａから中心側へ全周にわたって張出する薄肉リング部８３ｂとで構成される合成ゴム等の一体成形物からなり、槽内取付部材７２の筒状部７２ａに嵌装した状態で、薄肉リング部８３ｂの内周縁が当該筒状部７２ａに略当接すると共に、厚肉リング部８３ａがフランジ部７２ｂの環状溝７５ｂに臨む形になる。
【００４７】
また、リング状滑りシート８４は、ポリオレフィンやポリエステル等の表面滑性が高い硬質乃至半硬質の平坦な合成樹脂シートからなり、槽内取付部材７２の筒状部７２ａに対してリング状パッキング８３よりも奥側つまりフランジ部７２ｂ側に嵌装するが、この嵌装状態で内周縁が当該筒状部７２ａに略当接すると共に、外周縁がフランジ部７２ｂの環状溝７５ｂ上に位置してリング状パッキング８３の厚肉リング部７３ａの最大肉厚部に被さるように寸法設定されている。
【００４８】
フィルタ部材７３は、図１及び図２に示すように、皿形の硬質合成樹脂成形物からなり、その円形の前壁部７３ａには径小で表裏に透通する多数の吸込孔７８…が略全面にわたって形成されている。また、前壁部７３ａから後方へ突出する周縁部７３ｂは、流路形成ユニット１０のスリット状の放出口５３に対応する下半部の突出高さが低く設定されると共に、内周に流路形成ユニット１０の各係止溝１１ａに対応する係止突起（図示省略）が形成されている。
【００４９】
上記した各部構成の給湯口アダプタを浴槽Ｔに取り付けるには、まず槽外取付部材７１と槽内取付部材７２とを浴槽側壁Ｔａの貫通穴Ｈを通して螺合させ、両者７１，７２のフランジ部７１ｂ，７２ｂ間でパッキング８１，８３を介して浴槽側壁Ｔａを内外から挟着する。すなわち、浴槽側壁Ｔａの外側に配置した槽外取付部材７１の外筒部７１ａに、槽内取付部材７２の筒状部７２ａを該浴槽側壁Ｔａの内側から貫通穴Ｈを通して合わせ、槽内取付部材７２側の回転操作により、筒状部７２ａの雄ねじ７４ｂを外筒部７１ａの雌ねじ７４ａに螺合させて締め付ければよい。
【００５０】
上記の螺合操作では、槽内取付部材７２のフランジ部７１ｂとリング状パッキング８３との間にリング状滑りシート８４が介在するから、操作の当初から終盤に至るまでの間、該滑りシート８４の滑り作用により、槽内取付部材７２とパッキング８３との共廻りが抑えられるため、該パッキング８３が捩れて断裂したり歪な変形状態にならず、且つ槽内取付部材７２を軽く容易に回転できる。
【００５１】
そして、螺合の終盤になると、パッキング８３の厚肉リング部８３ａがフランジ部７２ｂの環状溝７５ｂに入り込むのに伴い、リング状滑りシート８３が環状段部７５ａで屈曲し、その外周側が環状溝７５ｂへ曲がり込んで外径を縮小し、最終的に図１に示すようにパッキング８３の厚肉リング部８３ａから外れ、該厚肉リング部８３ａが環状溝７５ｂの底面に直接に圧接して密着する状態となるから、良好な水密封止性が得られる。
【００５２】
かくして両取付部材７１，７２の螺合連結が完了すれば、槽外取付部材７１の外管接続部７０ａ，７０ｂに給湯機に繋がる往き管と戻り管を接続すると共に、浴槽Ｔの内側より槽内取付部材７２に流路形成ユニット１０及びフィルタ部材７３を取り付ける。なお、槽外取付部材７１は非回転側であるため、前記螺合操作の前に外管接続部７０ａ，７０ｂの接続を済ませておいてもよい。
【００５３】
流路形成ユニット１０は、吐出口５３が下側になる状態で、流路筒部１ｃ側から槽内取付部材７２内に嵌入させ、該流路筒部１ｃを槽内取付部材７２内に突入している槽外取付部材７１の内筒部７１ｃに挿嵌させる。なお、この挿嵌部分では内筒部７１ｃの内周に嵌装したＯリング６によって隙間が封止される。そして、円盤部１ａの後方突縁部１１ｃを取付部材７２のフランジ部７２ｂに外嵌し、後面側の各係止突起１９がフランジ部７２ｂ外周の係止溝７７に嵌入した状態で少し捻回操作すれば、これら係止突起１９が係止溝７７の入口側から周方向にずれた奥端位置に入り込むから、該ユニット１０は槽内取付部材７２に対して前後方向には抜出不能となる。
【００５４】
しかるのち、前板２のねじ孔２ａにロックねじ８５をねじ込めば、図１の如く、該ロックねじ８５の先端が円盤部１ａを貫通して槽内取付部材７２のフランジ部７２ｂ前面側にのロック穴７６に嵌入し、流路形成ユニット１０は槽内取付部材７２に対して捻回不能となるから、該流路形成ユニット１０の槽内取付部材７２との係合が意に反して解除されるのを防止できる。
【００５５】
なお、槽内取付部材７２側の係止溝７７とロック孔７６は周方向に一定間隔置きに多数形成されているから、螺合完了後の槽内取付部材７２の回転停止姿勢が変動しても、該ユニット１０は利用する係止溝７７及びロック穴７６の選択により、放出口５３が下側になる最も好ましい姿勢で連結できる。
【００５６】
フィルタ部材７３についても、流路形成ユニット１０の区画室１０ａの前面に被せて、周縁部７３ｂの内周の各係止突起（図示省略）を区画室１０ａ外周の係止溝１１ａに嵌入し、その状態で少し捻回操作することにより、該ユニット１０に対して前後方向には抜出不能に係合連結される。なお、フィルタ部材７３は、流路形成ユニット１０とは異なり、汚れによる目詰まりを防止する上で、清掃し易いように簡単に取り外せる方がよいため、特にロックする必要はない。
【００５７】
この場合、給湯口アダプタとして必要な流路構成が流路形成ユニット１０として機能的にコンパクトにまとまっているから、浴槽側壁Ｔａへの組み付けが容易であると共に、浴槽Ｔ内で嵩張らないという利点がある。
【００５８】
かくして浴室側壁Ｔａに貫通状態に取り付けた給湯口アダプタでは、図１に示すように、流路形成ユニット１０の区画室１０ａの左側に位置する第一吸込室５１ａ及び第一吐出室５２ａ（図８参照）から流路分岐部１ｂを経て流路筒部１ｃの外側に繋がる流路Ｆ１は、槽外取付部材７１の外筒部１ａと内筒部１ｂとの間の環状空間７ａを通して外管接続部７０ａに連通している。また、区画室１０ａの右側に位置する第二吸込室５１ｂ及び第二吐出室５２ｂから流路分岐部１ｂを経て流路筒部１ｃの内側に繋がる流路Ｆ２は、槽外取付部材７１の内筒部１ｂの内側空間７ｂより外管接続部７０ｂへ連通している。
【００５９】
なお、図１では図示を省略しているが、フィルタ部材７３の前壁部７３ａには多数の吸込孔７８…が略全面にわたって存在し（図２参照）、流路形成ユニット１０の前板２にも両吸込室５１ａ，５１ｂに臨んで多数の吸込孔２０…を備える（図２，３，７参照）ため、両吸込室５１ａ，５１ｂには前面側から浴槽温水が流入可能になっている。
【００６０】
この給湯口アダプタは、無極タイプであり、２つの流路Ｆ１，Ｆ２のいずれが吸込側になっても、また吐出側になっても同じ機能が得られる。
【００６１】
例えば、図１において流路Ｆ２が給湯機の吸込側の往き管に繋がっておれば、追い焚き時に、給湯機側からの強制吸引によって第二吸込弁３５ｂが内側へ変形して開弁し、第二吸込室５１ｂの前面側から浴槽温水が流路Ｆ２へ流入して給湯機側へ送られるが、下方の第二吐出弁３６ｂは給湯機側からの強制吸引によって第二吐出弁座３３ｂに圧接して閉弁状態を維持する。一方、吐出側となった流路Ｆ１には給湯機側から温水が送られて来るから、その送圧力で第一吐出弁３６ａが外側へ変形して開弁し、第一吐出室５２ａへ流入した供給温水が吐出口５３より浴槽Ｔ内へ放出されるが、上方の第一吸込弁３６ａは送圧力で第一吸込弁座３４ａに圧接して閉弁状態を維持する。
【００６２】
従って、流路Ｆ１が吸込側、流路Ｆ２が吐出側と逆の接続になっても、第一吸込室５１ａより浴槽温水を吸い込み、第二吐出室５２ｂから供給温水を吐出するだけで、同じことである。なお、湯はり作動時には、給湯機側から両流路Ｆ１，Ｆ２を通して温水が供給されるから、両吐出弁３６ａ，３６ｂが開弁して第一及び第二吐出室５２ａ，５２ｂの両方の吐出口５３から供給温水が放出される。無論、このときには両吸込弁３５ａ，３５ｂは閉弁している。
【００６３】
この第一実施形態の給湯口アダプタでは、追い焚きにおいて、例えば第二吸込室５１ｂより浴槽温水を吸い込み、第一吐出室５２ａから供給温水を吐出する場合、図８に示すように、第一吐出室５２ａからの略下向きの吐出流は、セパレータ部４Ａによって白矢印の如く左右つまり中央側と側方側とに分流して浴槽内へ放出される。
【００６４】
このとき、該セパレータ部４Ａで流路が狭まって流速を増すため、該吐出流の近傍に誘引力を及ぼし、この誘引力が混合用流路６Ａの導出口６１に作用することにより、黒矢印で示すように、浴槽内の温水が継続的に導入口６０から該混合用流路６Ａへ流入し、導出口６１から連続的に導出して側方側の吐出流に巻き込まれる。
【００６５】
また、中央側においても同様の誘引力が働くため、休止している第二吐出室５２ａに入り込んでいる浴槽温水が、黒矢印の如く、連通口５５から第一吐出室５２ａ側へ連続的に導出され、該中央側の吐出流に巻き込まれる。
【００６６】
従って、給湯機からの高温水と温度の低い浴槽温水とが吐出口５３近傍で効果的に混合され、吐出流は降温した状態で浴槽内へ放出される上、吐出流量が増大することによって浴槽内での攪拌作用も大きくなるから、浴槽内に局所的な高温部を生じたり、比較的温度の高い流れが入浴者の位置まで達したりするのを確実に防止できる。
【００６７】
なお、この場合のセパレータ部４Ａは弓形をなすため、吐出流は片側の直線部に沿って流れる直流と反対側の曲面部に沿う曲流とに分流するが、曲流の曲がり込みによって吐出口５３近傍で分流がぶつかり合って攪拌効果を増すという利点がある。
【００６８】
この発明の浴槽用給湯口アダプタにおいて、上述のように給湯機からの供給温水に浴槽温水を混合するための流路構成は、例示した第一実施形態以外に様々に設定できる。以下に他の実施形態を例示するが、これら実施形態における区画室１０ａの区画構成は全て第一実施形態と同様である。また、第一実施形態と共通する構成各部については、第一実施形態同一符号を附して説明を省略する。
【００６９】
図９に示す第二実施形態では、第一及び第二吐出室５２ａ，５２ｂの各々における流出口５４と吐出口５３との間には、既述のセパレータ部４Ａに加えて、それとは向きを逆にした弓形のセパレータ部４Ｂが配置している。この場合、両吐出室５２ａ，５２ｂに各々２つのセパレータ部４Ａ，４Ｂが配置するため、吐出流が三つに分流してより流速を増すことになり、誘引力が更に強まって浴槽温水の巻き込みが増えるから、これに対応して上部側周縁に沿う混合用流路６Ｂの導入口６０を突片部１１の４ヵ所に増やし、導出口６１からの浴槽温水の導出量を多くして降温作用及び攪拌作用を高めている。
【００７０】
図１０に示す第三実施形態では、第一及び第二吐出室５２ａ，５２ｂの各々における流出口５４と吐出口５３との間に、既述のセパレータ部４Ａ，４Ｂに加えて、両者の中間に涙滴形のセパレータ部４Ｃを配置すると共に、上部側周縁に沿う混合用流路６Ｃの導入口６０を突片部１１の２ヵ所に設けている。この場合、吐出流が四つに分流して更に流速を増し、混合用流路６Ｃの導出口６１ならびに連通口５５からの浴槽温水の巻き込みが増えることになるが、中央に配置したセパレータ部４Ｃが涙滴形であるから、その両側の分流が曲流になって吐出口５３近傍でぶつかり合い、もって攪拌効果もより高められる。
【００７１】
図１１に示す第四実施形態では、第一及び第二吐出室５２ａ，５２ｂの各々にはセパレータ部を設けておらず、また第二実施形態と同様の導入口６０が４ヵ所の混合用流路６Ｂとしている。この場合、吐出流に伴う誘引力はさほど強くないが、混合用流路６Ｂの導入口６０が多いため、その導出口６１からの浴槽温水の導出量は多くなり、混合による降温作用と攪拌作用は充分に発揮される。
【００７２】
図１２（Ａ）及び図１３に示す第五実施形態では、第三実施形態と同様の導入口６０が二ヵ所の混合用流路６Ｃとしているが、第一及び第二吐出室５２ａ，５２ｂの各々にはセパレータ部を設けておらず、両吐出室５２ａ，５２ｂにおける流入口５４と吐出口５３との間に臨んで、前板２に内外を貫通する複数の透孔６２…を設けている。
【００７３】
この第五実施形態の場合、吐出流によに誘引力により、混合用流路６Ｃからの浴槽温水の捲込み混合に加え、前板２の透孔６２…を通して流入する浴槽温水の捲込み混合を生じるから、降温作用及び攪拌作用がより大きくなる。しかして、前板２の透孔６２…は、其自体で浴槽温水の混合用流路を構成していることになる。
【００７４】
図１２（Ｂ）及び図１４に示す第六実施形態では、上部側周縁に沿う混合用流路６Ｄが前板２に複数（図では６個）の導入口６３を設けたものとなり、且つ第一及び第二吐出室５２ａ，５２ｂの各々に一つの涙滴形のセパレータ部４Ｃのみを設けた構成としている。この場合、混合用流路６Ｄの導出口６１からの浴槽温水の導出は他の実施形態と同様であるが、涙滴形のセパレータ部４Ｃによって分流する吐出流の両方が曲流になるから、相互のぶつかりによる攪拌作用が大きくなる。
【００７５】
図１５に示す第七実施形態では、上部側周縁に沿う混合用流路６Ｅを外部に直接開口する導入口を備えないものとし、該混合用流路６Ｅと第一及び第二吸込室５１ａ，５１ｂとを区画する円弧隔壁リブ２１，２１に、複数（図では各３個）の通湯口６４を設け、また第一及び第二吐出室５２ａ，５２ｂにはセパレータ部を設けない構成としている。
【００７６】
この第七実施形態においては、給湯機からの供給温水が第一吐出室５２ａに流入して吐出される場合、その吐出流（図示の白矢印）に伴う誘引力が混合用流路６Ｅの導出口６１に作用することにより、該混合用流路６Ｅ内が負圧になるが、この混合用流路６Ｅが休止中の第二吸込室５１ｂに通湯口６４を介して連通しているため、浴槽温水が前面側から第二吸込室５１ｂに流入し、黒矢印で示すように、通湯口６４を通して混合用流路６Ｅへ流出し、該混合用流路６Ｅの導出口６１から第二吐出室５２ｂへ導出して吐出流に捲き込み混合することになる。なお、他の実施形態と同様に、休止中の第二吐出室５２ｂからの連通口５５を通した浴槽温水の捲き込み混合も同時に生じる。
【００７７】
図１６に示す第八実施形態では、前記第七実施形態と同様に上部側周縁に沿う混合用流路６Ｆを外部に直接開口する導入口を備えないものとしているが、該混合用流路６Ｆと第一及び第二吸込室５１ａ，５１ｂとを区画する円弧隔壁リブ２１，２１には各一つの通湯口６４を設け、また第一及び第二吐出室５２ａ，５２ｂには第一実施形態と同様に弓形のセパレータ部４Ａを一つだけ設けた構成としている。
【００７８】
この第八実施形態の場合、第一吐出室５２ａの吐出流に伴う誘引力により、第七実施形態と同様に、休止中の第二吸込室５１ｂから通湯口６４を通して浴槽温水が混合用流路６Ｆへ入り、該混合用流路６Ｆの導出口６１から第二吐出室５２ｂへ導出することになるが、吐出流がセパレータ部４Ａによって分流して流速を速め、誘引力が強くなるため、降温作用及び攪拌作用がより大きくなり、また通湯口６４を多くしなくても混合用流路６Ｆへは浴槽温水を充分に導入できる。
【００７９】
以上の第一〜第八実施形態ではいずれも無極タイプの浴槽用給湯口アダプタを例示したが、この発明は無極タイプ以外の給湯口アダプタにも同様に適用可能である。また、この発明では、流路形成部材ユニットにおける弁部構造や流路構成、フィルタ部材の形態等、細部構成については実施形態以外に種々設計変更可能である。
【図面の簡単な説明】
【００８０】
【図１】この発明の第一実施形態に係る浴槽用給湯口アダプタを組み付け状態で示す縦断側面図である。
【図２】同浴槽用給湯口アダプタの分解斜視図である。
【図３】同浴槽用給湯口アダプタの流路形成ユニットの分解斜視図である。
【図４】同流路形成ユニットのユニット本体を示し、（Ａ）図は正面図、（Ｂ）図は（Ａ）図のＢ−Ｂ栓の断面矢視図である。
【図５】同ユニット本体の背面図である。
【図６】同ユニット本体の側面図である。
【図７】同流路形成ユニットの前板の背面図である。
【図８】同流路形成ユニットの縦断正面図である。
【図９】同第二実施形態における流路形成ユニットの縦断正面図である。
【図１０】同第三実施形態における流路形成ユニットの縦断正面図である。
【図１１】同第四実施形態における流路形成ユニットの縦断正面図である。
【図１２】同第五及び第六実施形態における流路形成ユニットを示し、（Ａ）図は第五実施形態の前板の半正面図、（Ｂ）図は第六実施形態の前板の半正面図である。
【図１３】同第五実施形態における流路形成ユニットの縦断正面図である。
【図１４】同第六実施形態における流路形成ユニットの縦断正面図である。
【図１５】同第七実施形態における流路形成ユニットの縦断正面図である。
【図１６】同第八実施形態における流路形成ユニットの縦断正面図である。
【符号の説明】
【００８１】
１  ユニット本体
１ｂ  流路分岐部
１０  流路形成ユニット
１０ａ  区画室（区画部）
２  前板
２０  吸込口
３  弁部
４Ａ〜４Ｃ  セパレータ部
５１ａ  第一吸込室（吸込口）
５１ｂ  第二吸込室（吸込口）
５２ａ  第一吐出室
５２ｂ  第二吐出室
５３    吐出口
５４    流入口
５５    連通口
６Ａ〜６Ｆ  混合用流路
６０    導入口
６１    導出口
６２    透孔
６４    通湯口
Ｆ１，Ｆ２  流路
Ｈ  貫通穴
Ｔ  浴槽
Ｔａ  浴槽側壁
【図１】
2007139207.tif 000003
【図２】
2007139207.tif 000004
【図３】
2007139207.tif 000005
【図４】
2007139207.tif 000006
【図５】
2007139207.tif 000007
【図６】
2007139207.tif 000008
【図７】
2007139207.tif 000009
【図８】
2007139207.tif 000010
【図９】
2007139207.tif 000011
【図１０】
2007139207.tif 000012
【図１１】
2007139207.tif 000013
【図１２】
2007139207.tif 000014
【図１３】
2007139207.tif 000015
【図１４】
2007139207.tif 000016
【図１５】
2007139207.tif 000017
【図１６】
2007139207.tif 000018
【手続補正書】
【提出日】平成18年3月13日(2006.3.13)
【手続補正１】
【補正対象書類名】明細書
【補正対象項目名】００２８
【補正方法】変更
【補正の内容】
【００２８】
そして、ユニット本体１の円盤部１ａの周縁上半部には前方へ突出した突縁部１１が形成され、この突縁部１１の前縁側に内嵌係止される前板２と当該円盤部１ａとの間で区画室１０ａを構成している。また、この区画室１０ａの外周には、左右両側上部の２ヵ所にＬ字形の係止溝１１ａが形成されている。
【手続補正２】
【補正対象書類名】明細書
【補正対象項目名】００３２
【補正方法】変更
【補正の内容】
【００３２】
しかして、ユニット本体１側には、図３で示すように、左右の横桟１４，１４のそれぞれ両端部に前方へ突出する支持ピン１４ａ…が設けてあり、これら支持ピン１４ａ…を、第一及び第二の弁体３２Ａ，３２Ｂの取付孔３２ａ…に圧入して、更に弁座枠３１の取付孔３１ｃ…に嵌入することにより、両弁体３２Ａ，３２Ｂ及び弁座枠３１をユニット本体１の円盤部１ａの前面に止着するようになっている。なお、両弁体３２Ａ，３２Ｂはリブ３２ｂを横桟１４の凹段部１４ｂに嵌合して位置決めされる。
【手続補正３】
【補正対象書類名】明細書
【補正対象項目名】００３５
【補正方法】変更
【補正の内容】
【００３５】
前板２は、図３に示すように、ユニット本体１の円盤部１ａに対応した円形をなし、その上半部には、ユニット本体１の上側左右の流路孔１５ａ，１５ｃに対向する領域に多数の小径の吸込孔２０…が、中央上部にユニット本体１のボス部挿通孔１７に対応するねじ孔２ａが、両側縁部にユニット本体１の各係止ピン１１ｂに対応する係止孔２ｂ，２ｂが、それぞれ前後に透通して形成され、更に周縁の２ヵ所にユニット本体１の各係止溝１１ａの入口部となる切欠２ｃが設けてある。
【手続補正４】
【補正対象書類名】明細書
【補正対象項目名】００３６
【補正方法】変更
【補正の内容】
【００３６】
また、図７に示すように、前板２の後面側には、ねじ孔２ａの位置から左右両側へ円弧状に延びる円弧隔壁リブ２１，２１、該ねじ孔２ａの位置から真下に直線的に延びる縦隔壁リブ２２、この縦隔壁リブ２２の中間部と左右両側の円弧隔壁リブ２１，２１の間を繋ぐ横隔壁リブ２３，２３、各横隔壁リブ２３から外向き斜め下方へ分岐した吐出ガイドリブ２４，２４、左右両側の円弧隔壁リブ２１，２１における横隔壁リブ２３との接合部より下方部分の外側に対向する弧状の導出ガイドリブ２５，２５、ねじ孔２ａの周囲のボス部２６、がそれぞれ突設されている。また、この後面側の下部には、ユニット本体１側のセパレータ部４Ａ，４Ａに対応する弓形の浅い凹部２７，２７が形成され、更にユニット本体１側の第一及び第二吐出弁座３３ａ，３３ｂの下縁部との対向位置に直線状のＶ字溝２９，２９が設けられている
しかして、流路形成ユニット１０は、第一及び第二の弁体３２Ａ，３２Ｂと弁座枠３１を装着したユニット本体１の円盤部１ａに対し、前板２の係止孔２ｂ，２ｂにユニット本体１側の係止ピン１１ｂ，１１ｂを挿嵌させると共に、ボス部２６をユニット本体１側のボス部挿通孔１７に挿嵌して、当該前板２を内嵌係止することにより、該円盤部１ａと前板２との間で既述の区画室１０ａを構成したものである。
【手続補正５】
【補正対象書類名】明細書
【補正対象項目名】００５８
【補正方法】変更
【補正の内容】
【００５８】
かくして浴室側壁Ｔａに貫通状態に取り付けた給湯口アダプタでは、図１に示すように、流路形成ユニット１０の区画室１０ａの左側に位置する第一吸込室５１ａ及び第一吐出室５２ａ（図８参照）から流路分岐部１ｂを経て流路筒部１ｃの外側に繋がる流路Ｆ１は、槽外取付部材７１の外筒部７１ａと内筒部７１ｃとの間の環状空間７ａを通して外管接続部７０ａに連通している。また、区画室１０ａの右側に位置する第二吸込室５１ｂ及び第二吐出室５２ｂから流路分岐部１ｂを経て流路筒部１ｃの内側に繋がる流路Ｆ２は、槽外取付部材７１の内筒部１ｂの内側空間７ｂより外管接続部７０ｂへ連通している。
【手続補正６】
【補正対象書類名】明細書
【補正対象項目名】００６１
【補正方法】変更
【補正の内容】
【００６１】
例えば、図１において流路Ｆ２が給湯機の吸込側の往き管に繋がっておれば、追い焚き時に、給湯機側からの強制吸引によって第二吸込弁３５ｂが内側へ変形して開弁し、第二吸込室５１ｂの前面側から浴槽温水が流路Ｆ２へ流入して給湯機側へ送られるが、下方の第二吐出弁３６ｂは給湯機側からの強制吸引によって第二吐出弁座３３ｂに圧接して閉弁状態を維持する。一方、吐出側となった流路Ｆ１には給湯機側から温水が送られて来るから、その送圧力で第一吐出弁３６ａが外側へ変形して開弁し、第一吐出室５２ａへ流入した供給温水が吐出口５３より浴槽Ｔ内へ放出されるが、上方の第一吸込弁３５ａは送圧力で第一吸込弁座３４ａに圧接して閉弁状態を維持する。
【手続補正７】
【補正対象書類名】明細書
【補正対象項目名】００６５
【補正方法】変更
【補正の内容】
【００６５】
また、中央側においても同様の誘引力が働くため、休止している第二吐出室５２ｂに入り込んでいる浴槽温水が、黒矢印の如く、連通口５５から第一吐出室５２ａ側へ連続的に導出され、該中央側の吐出流に巻き込まれる。